【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
レンズ鏡筒を支持するメインフレームと、
前記メインフレームに固定されたメディア挿入部と、
前記メディア挿入部の上部に配置されたビューファインダ部と、
前記ビューファインダ部から前記レンズ鏡筒の光軸に平行な方向へ突出した把手部と、
前記メインフレームと前記把手部を連結するステー部と、
を備え、
前記メディア挿入部は、前記メインフレーム、前記ビューファインダ部および前記把手部とは別部材であり、
前記ステー部は、前記把手部とは別部材である、撮像装置。
【請求項２】
前記ステー部は、前記把手部から側方にずれた位置に配置されている、
請求項１に記載の撮像装置。
【手続補正２】
【補正対象書類名】明細書
【補正対象項目名】全文
【補正方法】変更
【補正の内容】
【発明の詳細な説明】
【発明の名称】撮像装置
【技術分野】
【０００１】
技術分野は、可搬型ビデオカメラ等の撮像装置に関する。
【背景技術】
【０００２】
従来の撮像装置は、本体部と、ビューファインダ部と、把手部と、を備えている。記録メディアを挿入するメディア挿入部は本体部と一体形成されている。把手部は、ステー部により本体と連結されており、ステー部と一体形成されている。
図４は、従来の撮像装置の構造を示す図である。メディア挿入部（図示せず）は本体部４１に内蔵されており、ステー部４５は把手部４４と一体に形成されている（例えば、特許文献１を参照）。
【特許文献１】特開２００６−３１７９１１号公報
【発明の開示】
【発明が解決しようとする課題】
【０００３】
しかし、この従来の撮像装置においては、機種ごとで構造が異なるため、構成部品は１機種に特化された専用品となっている。このため、記録メディアや電子回路の構成が異なる場合は、専用の新しい筐体構造が必要となり、新たな機種展開の度に高額な金型費用を投資する必要がある。
本発明の課題は、コストの低減が可能な撮像装置を提供することにある。
【課題を解決するための手段】
【０００４】
本発明に係る撮像装置は、メインフレームと、メディア挿入部と、ビューファインダ部と、把手部と、ステー部と、を備えている。メインフレームはレンズ鏡筒を支持している。メディア挿入部はメインフレームに固定されている。ビューファインダ部はメディア挿入部の上部に配置されている。把手部はビューファインダ部からレンズ鏡筒の光軸に平行な方向へ突出している。ステー部はメインフレームと把手部を連結する。メディア挿入部は、メインフレーム、ビューファインダ部および把手部とは別部材である。ステー部は、把手部とは別部材である。
【０００５】
この撮像装置では、メディア挿入部が、メインフレーム、ビューファインダ部および把手部とは別部材であり、かつ、ステー部が把手部とは別部材であるため、メディア挿入部として異なる部品を使用する場合であっても、他の部品を流用することができる。
【発明の効果】
【０００６】
このように、この撮像装置では、記録メディアが異なる場合であっても、異なるメディア挿入部を製造するためのコストを削減することができ、コストの低減が可能となる。
【発明を実施するための最良の形態】
【０００７】
＜ビデオカメラの構成＞
図１および図２を用いて実施形態に係る第１ビデオカメラ１００について説明する。図１は第１ビデオカメラ１００の分解斜視図である。図２は第１ビデオカメラ１００の斜視図である。
図１および図２に示すように、第１ビデオカメラ１００（撮像装置の一例）は、レンズ鏡筒部８と、回路基板群９と、メインフレーム１０と、第１サイドパネル１１と、第２サイドパネル１２と、第１メディア挿入部２（メディア挿入部の一例）と、ビューファインダ部３と、把手部４と、第１ステー部５（ステー部の一例）と、を備えている。
【０００８】
レンズ鏡筒部８には光軸Ａを有する光学系（図示せず）が搭載されている。回路基板群９には複数の回路基板が設けられている。レンズ鏡筒部８および回路基板群９はメインフレーム１０に固定されている。レンズ鏡筒部８はメインフレーム１０により支持されている。
第１サイドパネル１１は、例えば液晶モニターが設けられた部材であり、メインフレーム１０の側方（被写体側を向いて左側）に設けられている。第２サイドパネル１２は、例えばユーザーが第１ビデオカメラ１００を持つためのグリップ部（図示せず）が設けられた部材であり、メインフレーム１０の第１サイドパネル１１と反対側の側方（被写体側を向いて右側）に設けられている。レンズ鏡筒部８、回路基板群９、メインフレーム１０、第１サイドパネル１１および第２サイドパネル１２により、本体部１が構成されている。
【０００９】
本体部１（より詳細には、メインフレーム１０）の後端上部には第１メディア挿入部２が配置されている。具体的には、第１メディア挿入部２は、本体部１とは別部材として形成されて配置されており、本体部１に固定されている。
第１メディア挿入部２は、これ単体でひとつのユニットとして構成されており、本体部１、ビューファインダ部３および把手部４と連結されている。より詳細には、第１メディア挿入部２は、メインフレーム１０の上部に設けられており、第１サイドパネル１１および第２サイドパネル１２の間に配置されている。第１サイドパネル１１および第２サイドパネル１２を本体部１に固定した状態で、第１メディア挿入部２は、側方以外の方向（例えば、前方、上方および後方）から本体部１に装着したり、あるいは、本体部１から側方以外の方向へ取り外したりすることができる。第１メディア挿入部２の上部にはビューファインダ部３が固定されている。
【００１０】
把手部４は、ビューファインダ部３から前方（被写体側）に向かって光軸Ａに平行な方向に突出している。把手部４の前端部には第１ステー部５が設けられている。
第１ステー部５は、これ自体でひとつの部材であり、把手部４および本体部１とは別部材である。第１ステー部５は、本体部１および把手部４と連結されている。第１ステー部５の上端は把手部４に固定されており、下端は本体部１に固定されている。第１ステー部５は把手部４の前端部と本体部１（メインフレーム１０）とで挟持されている、とも言える。
【００１１】
第１ステー部５の上端は把手部４の側方に複数のビス（図示せず）により固定されている。第１ステー部５は把手部４から側方（より詳細には、把手部４に対して第２サイドパネル１２側）にずれた位置に配置されている。例えば、ビスは接着剤により回り止めがなされている。
第１メディア挿入部２および第１ステー部５が周辺の部材と別部材であるため、第１メディア挿入部２の寸法が異なる場合に第１ステー部５を変更することで、機種が異なっていても他の部品を流用することができる。
【００１２】
例えば、図３に示す第２ビデオカメラ２００（撮像装置の一例）のように、本体部１の後端上部には、第１メディア挿入部２の代わりに第２メディア挿入部６（メディア挿入部の一例）が配置されている。第２メディア挿入部６は、第１メディア挿入部２で使用されるメディアよりも小型のメディアが挿入可能である。このため、第２メディア挿入部６の上下方向の寸法は、第１メディア挿入部２の上下方向の寸法よりも小さい。
【００１３】
第２メディア挿入部６の上部には、第１ビデオカメラ１００で用いられるものと同じビューファインダ部３が固定されている。ビューファインダ部３には、第１ビデオカメラ１００に用いられたものと同じ把手部４が固定されている。第２メディア挿入部６は、第１メディア挿入部２より高さが低いため、把手部４と本体部１との連結には、第１ステー部５より高さ寸法が小さい第２ステー部７（ステー部の一例）が用いられている。
【００１４】
＜ビデオカメラの特徴＞
（１）
この第１ビデオカメラ１００では、第１メディア挿入部２が、メインフレーム１０、第１サイドパネル１１、第２サイドパネル１２、ビューファインダ部３および把手部４と別部材であるため、第１メディア挿入部２を仕様が異なる第２メディア挿入部６に変更しても、他の部材（ビューファインダ部３、本体部１、レンズ鏡筒部８など）を流用することができる。これにより、仕様が異なるメディア挿入部を採用しても、製造コストを低減できる。
【００１５】
（２）
この第１ビデオカメラ１００では、第１ステー部５が把手部４とは別部材であるため、第１メディア挿入部２と合わせて第１ステー部５も変更することで、さらに把手部４を流用することができ、さらに製造コストを低減できる。
【００１６】
（３）
第１ステー部５が、把手部４から側方にずれた位置に配置されているため、例えば、レンズ鏡筒部８のズームリングを操作する際に、ユーザーが手を動かせる範囲が広がり、操作性が向上する。
【００１７】
＜他の実施形態＞
本発明の実施形態は、前述の実施形態に限られず、本発明の趣旨を逸脱しない範囲で種々の修正および変更が可能である。また、前述の実施形態は、本質的に好ましい例示であって、本発明、その適用物、あるいはその用途の範囲を制限することを意図するものではない。
【００１８】
（Ａ）
前述の実施形態では、第１サイドパネル１１および第２サイドパネル１２が別部材であるが、第１サイドパネル１１および第２サイドパネル１２が一体形成されていてもよい。この場合、例えば、第１サイドパネル１１および第２サイドパネル１２の一部が本体部１の上側に配置される。
【００１９】
（Ｂ）
また、前述の実施形態では、第１サイドパネル１１の上端部および第２サイドパネル１２の上端部の間に第１メディア挿入部２および第２メディア挿入部６が配置されているが、第１メディア挿入部２および第２メディア挿入部６が第１サイドパネル１１および第２サイドパネル１２の上部に配置されていてもよい。例えば、第１サイドパネル１１および第２サイドパネル１２が一体の部材である場合に、第１メディア挿入部２および第２メディア挿入部６が第１サイドパネル１１および第２サイドパネル１２の上部に配置される構成が考えられる。
【産業上の利用可能性】
【００２０】
以上に説明した撮像装置によれば、異なる仕様の機種を展開する際にも他の機種の多くの部品を流用することができ、製造コストを低減することができるため、本発明は、業務用機器等の多品種少量生産を行う分野において有用である。
【図面の簡単な説明】
【００２１】
【図１】第１ビデオカメラの分解斜視図
【図２】第１ビデオカメラの斜視図
【図３】第２ビデオカメラの斜視図
【図４】従来のビデオカメラの斜視図
【符号の説明】
【００２２】
１  本体部
２  第１メディア挿入部（メディア挿入部の一例）
３  ビューファインダ部
４  把手部
５  第１ステー部（ステー部の一例）
６  第２メディア挿入部（メディア挿入部の一例）
７  第２ステー部（ステー部の一例）
８  レンズ鏡筒部
９  回路基板群
１０  メインフレーム
１１  第１サイドパネル
１２  第２サイドパネル
１００  第１ビデオカメラ（撮像装置の一例）
２００  第２ビデオカメラ（撮像装置の一例）